(57)【特許請求の範囲】
【請求項１】
インプリントテンプレートを還元ガスに露出させることを含み、
前記還元ガスを少なくとも部分的に生成するために別の流体が熱源を通過し、
前記インプリントテンプレート若しくは前記インプリントテンプレートを保持するインプリントテンプレートホルダと接触しているかまたは隣接している導管を介して流体を通過させることによって前記インプリントテンプレートが冷却され、
前記熱源がパルス化されている、
インプリントテンプレートをクリーニングする方法。
【請求項２】
前記還元ガスが、水素または重水素ラジカルを含む、
請求項１に記載の方法。
【請求項３】
前記別の流体が、ハロゲン化水素ガスまたはハロゲン化重水素ガスである、
請求項１に記載の方法。
【請求項４】
前記還元ガスの生成を促進させるために前記熱源が触媒と共に使用される、
請求項１から３の何れか一項に記載の方法。
【請求項５】
熱シールドが、前記インプリントテンプレートを前記熱源からシールドするために使用される、
請求項１から４の何れか一項に記載の方法。
【請求項６】
前記還元ガスが、キャリアガスによって運ばれる、
請求項１から５の何れか一項に記載の方法。
【請求項７】
デバイスが、前記インプリントテンプレートを前記還元ガスに露出させるために使用され、
前記デバイスが、前記還元ガスを含むチャンバであって、
前記インプリントテンプレートが、前記チャンバ内に配置可能である、
請求項１から６の何れか一項に記載の方法。
【請求項８】
前記デバイスが、導管である、
請求項７に記載の方法。
【請求項９】
前記デバイスの表面が、使用される前記還元ガスに対して低い表面再結合係数を有する材料を含む、
請求項７又は８に記載の方法。
【請求項１０】
使用中においてインプリントテンプレートを還元ガスに露出させるように構成されたデバイスを含み、
前記還元ガスを少なくとも部分的に生成するために別の流体が熱源を通過し、
前記インプリントテンプレート若しくは前記インプリントテンプレートを保持するインプリントテンプレートホルダと接触しているかまたは隣接している導管を介して流体を通過させることによって前記インプリントテンプレートが冷却され、
前記熱源がパルス化されている、
インプリントテンプレートクリーニング装置。
【請求項１１】
前記デバイスが、前記還元ガスを含むように構成されたチャンバであって、
前記インプリントテンプレートが前記チャンバ内に配置可能である、
請求項１０に記載の装置。
【請求項１２】
ガラス、クォーツまたは石英ガラスのうちの１つを含むパターン形成された表面をクリーニングする方法であって、
前記パターン形成された表面を還元ガスに露出させることを含み、
前記還元ガスを少なくとも部分的に生成するために別の流体が熱源を通過し、
前記パターン形成された表面に隣接している導管を介して流体を通過させることによって前記パターン形成された表面が冷却され、
前記熱源がパルス化されている、
方法。
【請求項１３】
前記パターン形成された表面が、インプリントテンプレートの少なくとも一部である、
請求項１２に記載の方法。
【請求項１４】
使用中においてパターン形成された表面を還元ガスに露出させるように構成されたデバイスであって、前記パターン形成された表面がガラス、クォーツまたは石英ガラスのうちの１つを含むデバイスを含み、
前記還元ガスを少なくとも部分的に生成するために別の流体が熱源を通過し、
前記パターン形成された表面に隣接している導管を介して流体を通過させることによって前記パターン形成された表面が冷却され、
前記熱源がパルス化されている、
パターン形成された表面クリーニング装置。
【発明の詳細な説明】
【技術分野】
【０００１】
[0001]  本発明は、クリーニング方法、例えば、インプリントリソグラフィにおける使用のためのテンプレートをクリーニングする方法に関する。
【背景技術】
【０００２】
[0002]  リソグラフィにおいては、所定の基板エリア上のフィーチャの密度を増加させるためにリソグラフィパターンにおけるフィーチャのサイズを縮小するための継続的な要望がある。フォトリソグラフィにおいては、より微細化されたフィーチャに対する追求は、やや高額ではあるが、液浸リソグラフィおよび極端紫外線（ＥＵＶ）リソグラフィのような技術の発展への結果となった。
【０００３】
[0003]  フィーチャの微細化で注目されている潜在的な高額ではない道は、いわゆるインプリントリソグラフィであり、これは一般に、パターンを基板上に転写するために「スタンプ」を使用するものである。インプリントリソグラフィの利点は、フィーチャの解像度が、例えば、フォトリソグラフィにあるように投影システムの開口数または放射源の波長に限定されず、ただ単に、主にスタンプ（テンプレートとしても言及される）上のパターン密度に限定されることである。例えば、テンプレートは、ナノメータおよび／またはマイクロメータフィーチャを有し得る。インプリントリソグラフィに対して３つの主な手法があり、それらの実施例は図１ａから図１ｃに概略的に示されている。
【０００４】
[0004]  図１ａは、マイクロコンタクトプリンティングとしてよく言及されているインプリントリソグラフィの一種の例を示す。マイクロコンタクトプリンティングは、分子の層１１（通常はチオールのようなインク）をテンプレート１０（例えば、ポリジメチルシロキサンテンプレート）から基板１２および平坦化・転送層１２’によってサポートされているレジスト層１３上に転写することを含む。テンプレート１０は、その表面上にフィーチャのパターンを有し、分子層はフィーチャの上に配置される。テンプレートがレジスト層に対して押されたとき、分子の層１１は、レジスト上に転写される。テンプレートを除去した後、転写された分子層によって覆われていないレジストのエリアが基板へとエッチングされるようにレジストがエッチングされる。マイクロコンタクトプリンティングの更なる情報については、例えば、米国特許第６１８０２３９号明細書を参照されたい。
【０００５】
[0005]  図１ｂは、いわゆるホットインプリントリソグラフィ（またはホットエンボス）の一例を示す。典型的なホットインプリントプロセスにおいては、テンプレート１４は、基板１２の表面上にある熱硬化性または熱可塑性ポリマー樹脂１５（またはより一般的には、インプリント可能媒体）にインプリントされる。樹脂は、例えば、スピンコートされて基板表面上にベークされ得るか、あるいは、実施例に示されるように、平坦化・転送層１２’上にベークされ得る。熱硬化性ポリマー樹脂が使用された場合、樹脂は、テンプレートと接触した際に樹脂がテンプレート上に定められたパターンフィーチャへと流れるために十分な流動性を有するような温度に加熱される。樹脂の温度は、次いで、樹脂が固まり、かつ所望のパターンを不可逆的に採用するように樹脂を熱によって硬化（架橋）させるために上昇される。次いで、テンプレートは除去され得、かつパターン形成された樹脂は冷却され得る。熱可塑性ポリマー樹脂の層を使用するホットインプリントリソグラフィにおいては、熱可塑性樹脂は、テンプレートを用いるインプリントの直前に自由で流動性の有る状態にあるように加熱される。熱可塑性樹脂を、樹脂のガラス転移温度のかなり上の温度に加熱することが必要であり得る。テンプレートは、流動性の有る樹脂へと押され、次いで、パターンを硬化させるためにテンプレートを適切な位置において、樹脂のガラス転移温度以下に冷却される。その後、テンプレートは除去される。パターンは、樹脂の残留層から浮き彫りになっているフィーチャからなり、その残留層は、パターンフィーチャのみを残すように適切なエッチングプロセスによって除去され得る。ホットインプリントリソグラフィプロセスに使用される熱可塑性ポリマー樹脂の例は、ポリ（メチルメタクリレート）、ポリスチレン、ポリ（ベンジルメタクリレート）またはポリ（シクロヘキシルメタクリレート）を含む。ホットインプリントの更なる情報については、例えば、米国特許第４７３１１５５号明細書および米国特許第５７７２９０５号明細書を参照されたい。
【０００６】
[0006]  図１ｃは、レジストおよびインプリント可能媒体としてのＵＶ硬化性液体および透明テンプレートの使用を含む紫外線（ＵＶ）インプリントリソグラフィの一例を示す（ここで使用されている「ＵＶ」という用語は、便宜のためであり、レジストを硬化させるための任意の適した化学線を含むように解釈されたい）。ＵＶ硬化性液体は、多くの場合、ホットインプリントリソグラフィに使用される熱硬化性および熱可塑性ポリマー樹脂より粘性がなく、結果的に、テンプレートパターンフィーチャを埋めるためにより一層早く動き得る。クォーツテンプレート１６は、図１ｂのプロセスと同様の方法でＵＶ硬化性樹脂１７に適用される。しかしながら、ホットプリントのように加熱または温度サイクリングを使用する代わりに、クォーツテンプレートを通して樹脂に付与されるＵＶ放射を用いて樹脂を硬化させることによって、パターンは凍結される。テンプレートを除去した後、レジストは、浮き彫りになっていないレジストのエリアが基板へとエッチングされるようにエッチングされる。ＵＶインプリントリソグラフィを通じて基板をパターニングする特定な方法は、いわゆるステップアンドフラッシュインプリントリソグラフィ（ＳＦＩＬ）と呼ばれ、これは、ＩＣ製造において従来使用されている光ステッパと同様な方法において小さな段階で基板をパターニングするために使用され得る。ＵＶインプリントの更なる情報については、例えば、米国公開特許第２００４−０１２４５６６号、米国特許第６３３４９６０号明細書、国際公開公報第ＷＯ０２／０６７０５５号、および「Ｍｏｌｄ−ａｓｓｉｓｔｅｄ  ｎａｎｏｌｉｔｈｏｇｒａｐｈｙ：Ａ  ｐｒｏｃｅｓｓ  ｆｏｒ  ｒｅｌｉａｂｌｅ  ｐａｔｔｅｒｎ  ｒｅｐｌｉｃａｔｉｏｎ」と題した、Ｊ．Ｖａｃ．Ｓｃｉ．Ｔｅｃｈｎｏｌ．Ｂ１４（６），Ｎｏｖ／Ｄｅｃ１９９６のＪ．Ｈａｉｓｍａによる記事を参照されたい。
【０００７】
[0007]  上記のインプリント技術の組み合わせも可能である。例えば、レジストを加熱し、かつＵＶ硬化させる組み合わせを言及する米国公開特許第２００５−０２７４６９３号を参照されたい。
【発明の開示】
【発明が解決しようとする課題】
【０００８】
[0008]  上述されたように、インプリントテンプレートには、例えば、レジストの層と接触させられた分子の層が設けられ得る。代替的にまたは付加的に、インプリントテンプレートは、インプリント可能媒体、例えば、樹脂にインプリントされ得る。分子がレジストに適用されたとき、あるいはインプリントテンプレートがインプリント可能媒体にインプリントされたとき、インプリントテンプレートはレジストおよび／またはインプリント可能媒体から取り外される。取り外しの間、分子、レジストまたは他の材料（例えば、インプリント可能媒体）がインプリントテンプレート上に残ること可能性がある。インプリントテンプレート上に残る材料は、薄い層であってもよいし、材料の粒子または材料の薄片等であってもよい。取り外しの後にインプリントテンプレート上に残る材料が除去されていない場合、これは、インプリントテンプレートを用いてインプリントされる任意の後のパターンにエラーを生じさせるかもしれない。これは、インプリントテンプレート上に残る材料自体が、例えば、後のインプリントの間に接触させられたインプリント可能媒体にパターン形成し得るからである。導入されたエラーは、後のインプリントされるパターンを欠陥品、かつ使用不能にもするので、このエラーはかなり重大になり得る。この問題への解決策は、インプリントテンプレートが更なるパターンのインプリントをするために使用されるにはあまりにも汚染されすぎているので、毎回インプリントテンプレートを取り替えることである。しかしながら、この解決策は、取替え用のインプリントテンプレートの製造に高いコストがかかってしまうため、望ましいものではない。
【０００９】
[0009]  したがって、本発明の目的は、従来技術またはその他の技術分野で明らかとなっている、従来技術における少なくとも１つの問題点を解決あるいは軽減し得るような、例えばインプリントテンプレートのクリーニング法およびインプリントテンプレートクリーニング装置を提供することである。
【課題を解決するための手段】
【００１０】
[0010]  本発明の一態様に従って、インプリントテンプレートを還元流体（reductive fluid）に露出させることを含む、インプリントテンプレートをクリーニングする方法が提供される。
【００１１】
[0011]  本発明の一態様に従って、使用中においてインプリントテンプレートを還元流体に露出させるように構成されたデバイス含む、インプリントテンプレートクリーニング装置が提供される。
【００１２】
[0012]  本発明の一態様に従って、ガラス、クォーツまたは石英ガラスのうちの１つを含むパターン形成された表面をクリーニングする方法であって、パターン形成された表面を還元流体に露出させることを含む、方法が提供される。
【００１３】
[0013]  本発明の一態様に従って、使用中においてパターン形成された表面を還元流体に露出させるように構成されたデバイスであって、パターン形成された表面がガラス、クォーツまたは融解石英のうちの１つを含む、デバイスを含む、パターン形成された表面クリーニング装置が提供される。
【発明を実施するための最良の形態】
【００１４】
[0021]  本発明の一実施形態によると、インプリントテンプレートは、還元環境においてクリーニングされる。言い換えると、インプリントテンプレートは、還元流体、例えば、還元液体または還元ガスに露出される。一実施例においては、レジストまたは他の材料（例えば、有機物を含有する材料）は、水素ラジカル、その同位体である重水素、および／またはそれらの組み合わせを用いてインプリントテンプレートから除去される。
【００１５】
[0022]  水素ラジカルは、水素分子の原子状水素ラジカルへの分離において生成される。これは、多数の方法によって、例えば、水素ガスを熱フィラメントの上を通らせることによって、あるいは、マイクロ波放電または無線周波数（ＲＦ）放電を水素ガスに導入することによって達成され得る。水素分子の原子状水素ラジカルへの解離で発生する反応は以下のとおりである。
Ｈ２（ｇ）→２Ｈ
【００１６】
[0023]  水素原子は、炭素からメタン（ＣＨ４）、（有機的に結合された）酸素から水（Ｈ２Ｏ）、および（有機的に結合された）シリコンからシラン（ＳｉＨ４）の形成するとき、例えばレジストと反応する。一実施形態においては、全ての反応物はガス状なので、インプリントテンプレートに付着、堆積されたまま等にはならない。このことが、結果としてインプリントテンプレートのクリーニングにつながる。インプリントテンプレートは、水素ラジカルに対して実質的に不活性である１つ以上の材料から形成されても良いし、また、任意の還元流体がインプリントテンプレートをクリーニングするために使用されてもよい。インプリントテンプレートを形成するために使用され得る材料の適した例は、ガラス、石英ガラス、およびクォーツである。
【００１７】
[0024]  本発明の一実施形態による方法、特に、水素ラジカルの使用の利点は、クリーニングプロセスのスピードである。インプリントテンプレートの正確な状態およびインプリントテンプレート上のコンタミにもよるが、クリーニング（または言い換えると、エッチング）レートは、典型的には、１ｎｍ〜２ｎｍ／秒より速い。このクリーニングレートを、例えば、５０ｎｍの深さを有するテンプレート上で欠陥であるレジストに適用すると、クリーンタイムは１分より短いという結果となる。さらに、還元流体を用いてのクリーニングはより丁寧であり、かつ例えば、プラズマと比較してインプリントテンプレートにダメージを与えにくい。
【００１８】
[0025]  本発明の一実施形態による方法の実施は、図２から図６を参照して説明される。
【００１９】
[0026]  図２は、インプリントテンプレート２０を示す。インプリントテンプレート２０は石英ガラスから形成されるが、インプリントテンプレートをクリーニングするために使用される還元流体に対して比較的不活性である任意の材料から形成されればよい。例えば、インプリントテンプレート２０は、ガラス、石英ガラス、またはクォーツから形成され得る。インプリントテンプレート２０は、インプリント可能媒体の層から取り外されたばかりである。取り外しプロセスの後、一部のインプリント媒体２１がインプリントテンプレート２０に付着していることが見られる。上述されたように、後のインプリントされるパターンに欠陥を導入してしまう可能性を低減させる、または消去するために、インプリントテンプレート２０に付着したインプリント媒体２１を除去することが望ましい。
【００２０】
[0027]  図３は、図２のインプリントテンプレート２０をクリーニングするために使用され得る装置を示す。図３は、インプリント媒体２１のクリーニングがされるインプリントテンプレート２０の表面に隣接して配置された熱フィラメント３０を示す。一実施形態においては、熱フィラメントはタングステンから構成されるが、ＭｏおよびＮｉのような他の材料から構成されてもよい。チューブ３１は、熱フィラメント３０に隣接して配置され、かつ熱フィラメント３０をはさんでインプリントテンプレート２０の反対側に配置される。チューブ３１は、熱フィラメント３０に向かって、かつ上（および／または周り等）に水素３２を移送するために使用される。水素は、必ずしもチューブではなく、任意の適した導管を用いて移送されてもよいことがご理解頂けよう。
【００２１】
[0028]  使用中において、水素３２は、２０ｓｃｃｍから３００ｓｃｃｍの間のフローレートでチューブ３１を通過する。水素３２が、熱フィラメント３０上を通る。熱フィラメント３０は、１７５０℃から２２５０℃の間の温度で保たれる。水素３２が熱フィラメント３０の上を通ったとき、水素３２は原子状水素ラジカル３３へと分離する。熱フィラメント３０の温度が高いほど、水素ラジカル３３の歩留まりが高く、よって、エッチング（またはクリーニング）レートが大きい。
【００２２】
[0029]  インプリントテンプレート２０のクリーニングは、任意の適した環境において実施可能であり、かつ封止されたチャンバ（図示されず）において行われ得る。チャンバ内の最適圧力は、チャンバ内の装置の構成に依存する。例えば、チューブ３１から発された水素３２とインプリントテンプレート２０との間に金属製の障害物がない場合、水素ラジカル３３の壁再結合（wall recombination）を制限するために高圧が使用され得る。しかしながら、水素ラジカルが再結合してしまうので、この圧力は高すぎてはいけない。インプリントテンプレート２０と水素ラジカル２２のソース（例えば、熱フィラメント３０の周り）との間の経路に沿った圧力は、典型的には０．１から２０ｋＮｍ−２の間の範囲にあり得る。
【００２３】
[0030]  上述されたように、インプリントテンプレート２０をクリーニングするために水素ラジカルを使用するときに形成される全ての反応物は、例えば、ガス状であり、かつクリーンな表面を残してインプリントテンプレート２０から蒸発する。
【００２４】
[0031]  熱フィラメント３０がインプリントテンプレート２０を加熱する可能性がある。熱はインプリントテンプレート２０およびインプリントテンプレート２０が与える任意のパターンを変形し得るため、インプリントテンプレート２０の加熱は望ましくない。したがって、熱フィラメント３０からの熱がインプリントテンプレート２０に届くことを防ぐことが望ましい。図４は、インプリントテンプレート２０の加熱を減少する間、インプリント媒体２１のインプリントテンプレート２０をクリーニングするために使用され得る装置を示す。図４は、チャンバ４０を示す。チャンバ内に配置されているのは、熱フィラメント４１である。チャンバ４０には、アウトレットポート４２が設けられている。アウトレットポート４２は、コンタミ２１のクリーニングがされるインプリントテンプレート２０の表面に向かって延び、かつその表面に隣接して開放されるように構成されたチューブ４３へと連通している。インプリントテンプレート２０は、熱フィラメント４１によって生成される熱から、熱シールド４４によってシールドされる。チューブ４３は、熱シールド４４を貫通して延びる。
【００２５】
[0032]  熱シールド４４は、任意の適した材料、特に、熱を吸収または反射するのに知られている任意の材料から形成され得る。例えば、熱シールド４４は、セラミック材料または金属から形成されてもよく、および／または反射表面を有して形成され得る。熱シールド４４は、熱シールド４４に沿ってまたは中で、あるいは熱シールド４４と接触している導管の中で流れる流体を用いて冷却されてもよい。
【００２６】
[0033]  使用中においては、水素４５は熱フィラメント４１の上を通り、これによって水素４５が原子状水素ラジカル４６へと分離する。原子状水素ラジカルは、チューブ４３に沿って移動し、かつクリーニングされるインプリントテンプレート２０の表面上へと移動する。次に、インプリントテンプレート２０が、上述されたようにクリーニングされる。
【００２７】
[0034]  水素ラジカル４６をインプリントテンプレート２０に移送するチューブ４２は、望ましくは、水素ラジカル（またはインプリントテンプレート２０をクリーニングするために使用される任意の還元流体）に対して低い表面再結合係数を有する。クォーツ、ホウケイ酸ガラス（例えば、Ｐｙｒｅｘ（登録商標））、石英ガラスおよびガラスは、水素ラジカル４６を移送するために好適な材料である。なぜなら、水素ラジカルに対するこれらの材料の表面再結合係数が、例えば、プラチナ（水素ラジカルに対する再結合係数が１）と比較して低い（例えば、４×１０−３から７×１０−４）からである。同様に、チャンバまたは任意の他のデバイスが、使用時にインプリントテンプレートを水素ラジカル（または任意の他の還元流体）に露出させるように構成されている場合、デバイスは、使用される還元流体に対して低い表面再結合係数を有するべきである。例えば、デバイスは、クォーツ、ホウケイ酸ガラス（例えば、Ｐｙｒｅｘ（登録商標））、石英ガラスまたはガラスから形成され得る。
【００２８】
[0035]  インプリントテンプレートをできる限り早くクリーニングすることが望ましい。したがって、還元流体（例えば、水素ラジカル）がインプリント媒体に対して反応するかまたはインプリント媒体をエッチングするスピードができる限り速いことも望ましい。水素ラジカルのインプリント媒体（例えば、樹脂）との反応は一般に、発熱反応である。それはすなわち、反応の間、熱が放たれるということである。したがって、より高い反応スピードは、インプリントテンプレートの増加された加熱という結果となる。テンプレートの加熱は、インプリントテンプレートの最大許容可能温度（即時に使用するには変形しすぎているインプリントテンプレートパターンに対応する温度で、例えば、５０℃あたりになり得る）に到達した場合、クリーニングプロセスにおける限定要素となり得る。図５ａおよび図５ｂは、インプリントテンプレート２０および／またはインプリントテンプレート２０を保持するために使用されるインプリントテンプレートホルダ５０の過度の加熱を減少させるかまたは防ぐために使用され得る装置を示す。インプリントテンプレート２０の過度の加熱を減少するかまたは防ぐために、インプリントテンプレート２０および／またはインプリントテンプレートホルダ５０は、能動的に調節、例えば、冷却され得る。能動的な冷却は、インプリントテンプレート２０および／またはインプリントテンプレートホルダ５０と接触しているかまたは近接している導管６１を介して流体６０を通過させることによって達成され得る。インプリントテンプレート２０および／またはインプリントテンプレートホルダ５０からの熱は、導管６１および導管６１を通過している流体６０へと放散される。この放散された熱は、流体６０を過熱する。流体６０は、導管６１を介して流れ、したがって、インプリントテンプレート２０および／またはインプリントテンプレートホルダ５０からその含まれた熱を取り去る。流体６０は、例えば、水であり得る。
【００２９】
[0036]  インプリントテンプレートのクリーニングで形成される反応物がインプリントテンプレート付近からできる限り早く除去されることが望ましい。これは、これらの反応物が、インプリントテンプレート上の至る所またはインプリントテンプレートをクリーニングするために使用される装置の中および周りの至る所に堆積される確率を減少するかまたは消去することが望ましいからである。反応物は、したがって、排気、あるいは他のポンプまたは抽出装置を用いて除去され得る。反応物は、したがって、大気、または例えば、スクラビング装置へと排出され得る。
【００３０】
[0037]  熱フィラメントの近くで形成される水素ラジカルは不安定であり、かつ水素分子を形成するためにいずれは再結合する可能性があることが知られている。したがって、ラジカル形成とインプリントテンプレート上のインプリント媒体との反応との間の時間を短縮することが好ましい。なぜなら、これによって、インプリントテンプレート表面上により高濃度の水素ラジカルを導入可能となるためである。ラジカル形成とインプリントテンプレートとの接触との間の時間の減少は、キャリアガスを用いて達成され得る。望ましくは、キャリアガスは不活性ガスであり、かつこの不活性ガスは、水素ラジカルが熱フィラメントでまたはその近傍で形成された後、水素ラジカルをインプリントテンプレートに移送するために使用され得る。適したキャリアガスは、例えば、Ａｒ、Ｈｅ、Ｎｅ、Ｘｅ、Ｋｒ、および／またはＲｎである。
【００３１】
[0038]  上記の実施形態においては、熱シールドおよび能動冷却が、インプリントテンプレートの加熱を減少することに適しているように記載された。これらの解決策は、パルスクリーニングスキームを使用することによって置き換えるかまたは補完することができる。例えば、熱フィラメントが連続的に熱を発することを許容するのではなく、熱フィラメントが熱を発していない場合にインプリントテンプレートを冷却することを可能とするべく、熱フィラメントを繰り返しオンおよびオフにしてもよい。例えば、熱フィラメントは、繰り返しのパルス方法において、１０秒間オンにされ、次いで１０秒間オフにされ得る。このプロセスは、インプリントテンプレートでのインプリント媒体のクリーニングが終わるまで繰り返され得る。
【００３２】
[0039]  図６ａおよび図６ｂは、上述されたクリーニング方法の潜在的な効果の例を示す。図６ａおよび図６ｂは、左から右へとサイズが大きくなる４つのフィールドのパターンフィーチャ７０を有する（一部の）インプリントテンプレートの暗視野顕微鏡画像を示す。図６ａは、インプリントテンプレートが多数のパターンをインプリントするために使用された後のパターンフィーチャを示す。インプリントの間、材料（例えば、レジスト）がインプリントテンプレートに付着し、かつパターンフィーチャ７０の一部が少なくとも部分的に暗視野顕微鏡画像において消えていることが見られる。言い換えると、フィーチャ７０間およびその上に付着した材料が、顕微鏡画像における光学コントラストを喪失させるという結果となった。インプリントテンプレートは、次いで、上述されたように還元流体（例えば、水素ラジカル）を用いてクリーニングされる。図６ｂは、パターンフィーチャ７０が現在明確に確認され、かつ欠陥が存在しないことを示している。これは、クリーニングステップがレジストをパターンフィーチャ７０から除去することに成功したことを示す。
【００３３】
[0040]  図７は、上述された方法および装置を用いてクリーニングされたインプリントテンプレート２０を概略的に示す。クリーニングプロセスの後、実質的にインプリントテンプレート上にインプリント媒体が残存していないことがお解かり頂けよう。
【００３４】
[0041]  水素ラジカルを生成するために水素ガスを使用する代わりに、ハロゲン化水素ガスが使用されてもよい。ハロゲン化ガスを使用することの利点は、ハロゲンが、水素ラジカルのみを用いて除去できない（全くまたはそう簡単にはのいずれか）材料を除去するために使用され得ることである。代替的にまたは付加的に、水素ラジカル配合物に対する触媒として担う金属材料は、熱フィラメントの付近に設けられ得るかまたは熱フィラメントの少なくとも一部を形成し得る。金属触媒は、Ｔｉ、Ｐｔ、Ｎｉ、Ｖ、Ｍｇ、Ｍｎ、Ｒｕ、Ｗ、およびＴａ（ならびに合金およびそれらの組み合わせ）からなるグループから選択され得る。
【００３５】
[0042]  上述されたようなクリーニング装置は、クリーニングチャンバ内に収容され得る。代替例として、上述されたクリーニング装置は、他のシステム、例えば、インプリントリソグラフィシステム等の一部となっても良い。すなわち、インプリントテンプレートは、インプリントリソグラフィシステムのインシチュ（in-situ）またはエクスシチュ（ex-situ）でクリーニングされ得る。
【００３６】
[0043]  インプリントテンプレートは、特定の時間、例えば、一バッチのパターンが基板上にインプリントされた後にクリーニングされ得る。代替的にまたは付加的に、インプリントテンプレートは、インプリントテンプレートに過剰なコンタミ（例えば、インプリント媒体）が付着しているか否かを決定するために定期的にテストされ、かつ汚染されすぎている場合には、インプリントテンプレートはクリーニングされ得る。
【００３７】
[0044]  上記の実施形態においては、インプリントテンプレートのクリーニングが説明された。しかしながら、一実施形態においては、上述された方法は他のオブジェクトおよび／またはそれらのオブジェクトの表面をクリーニングするために使用され得る。例えば、一実施形態においては、上述された実施形態は、ガラス、石英ガラス、またはクォーツを有するまたはそれらから形成されたオブジェクトのパターン形成された表面をクリーニングするために使用されてもよい。そのようなパターン形成された表面をクリーニングするための還元流体の使用は、上述されたように、迅速なクリーニング解決策である。パターン形成された表面の例としては、基板テーブルまたはキャリア、例えば、ウェーハまたはレチクルテーブル／キャリア、あるいは格子、例えば、リソグラフィ等における使用のための回折格子、のバール表面が挙げられ得る。
【００３８】
[0045]  上述されたように、インプリントテンプレートをクリーニングするために使用される還元流体は、水素または重水素ラジカルである必要またはそれらを含んでいる必要はなく、他の還元流体が用いられても良い。
【００３９】
[0046]  上記の実施形態は例示的にのみ記載されたことが理解される。上記の特許請求の範囲によって限定される発明から逸脱することなくこれらおよび他の実施形態に様々な修正がされ得ることが理解される。
【図面の簡単な説明】
【００４０】
【図１ａ】［0014］  図１ａは、それぞれマイクロコンタクトプリンティング、ホットインプリント、およびＵＶインプリントの例を概略的に示す。
【図１ｂ】［0014］  図１ｂは、それぞれマイクロコンタクトプリンティング、ホットインプリント、およびＵＶインプリントの例を概略的に示す。
【図１ｃ】［0014］  図１ｃは、それぞれマイクロコンタクトプリンティング、ホットインプリント、およびＵＶインプリントの例を概略的に示す。
【図２】［0015］  コンタミが付着したインプリントテンプレートを概略的に示す。
【図３】［0016］  本発明の一実施形態によるインプリントリソグラフィ方法を示す。
【図４】［0017］  本発明の一実施形態によるインプリントリソグラフィ方法を示す。
【図５ａ】[0018]  図５ａは、本発明の一実施形態によるインプリントリソグラフィ方法を示す。
【図５ｂ】[0018]  図５ｂは、本発明の一実施形態によるインプリントリソグラフィ方法を示す。
【図６ａ】[0019]  図６ａは、本発明の１つ以上の実施形態の効果を概略的に示す。
【図６ｂ】[0019]  図６ｂは、本発明の１つ以上の実施形態の効果を概略的に示す。
【図７】[0020]  本発明の一実施形態による方法の適用後のインプリントテンプレートを概略的に示す。
【図１ａ】
0005111283.tif 000002
【図１ｂ】
0005111283.tif 000003
【図１ｃ】
0005111283.tif 000004
【図２】
0005111283.tif 000005
【図３】
0005111283.tif 000006
【図４】
0005111283.tif 000007
【図５ａ】
0005111283.tif 000008
【図５ｂ】
0005111283.tif 000009
【図６ａ】
0005111283.tif 000010
【図６ｂ】
0005111283.tif 000011
【図７】
0005111283.tif 000012